(57)【特許請求の範囲】
【請求項１】
外周面に孔部が設けられるＵ字形状である吸虫管と、吸虫管の端部に接続されて内部を減圧することにより孔部を通じて外気を吸引する吸引部と、で構成され、吸虫管は、ビニルハウスに通気を確保するために設けられる開口部の開口面に沿って、複数の吸虫管を格子状に組合せて通風用空隙を設けた虫吸引装置。
【発明の詳細な説明】
【技術分野】
【０００１】
本発明は、虫吸引装置に関するものである。
【背景技術】
【０００２】
従来から、ビニルハウス等では内部空間に対する通風性を確保するため、その開口面に通風用空隙を形成することが一般的であるが、その間隔が０．４ｍｍ程度であると、実質的に通風性を確保することができない。一方、間隔が１ｍｍ以上であると、通風性は確保できるものの、コナジラミ類やアザミウマ類をはじめとした体長１ｍｍ以下の体躯の小さい害虫をビニルハウス等に入れてしまう可能性がある。
【０００３】
これに対し、通風性と害虫駆除を兼ね備えた技術として特開２０００−２１７４４６号公報（特許文献１）に記載されているネットが知られている。
【０００４】
これは、熱接着性繊維からなる糸条が、編織物に形成され、さらに前記糸条の交点が熱接着されて目合いが０．４〜３ｍｍであるネットが、ビニルハウスの開口面に備えられて通風用空隙を形成するものであって、熱接着性繊維が１〜１５重量％の紫外線吸収剤を含有させることで、物理的に害虫を駆除するだけでなく、害虫忌避効果をも併せ持ち、ハウスなど農業施設内への害虫侵入が抑制されるネットを提供するものである。
【特許文献１】特開２０００−２１７４４６号公報
【発明の開示】
【発明が解決しようとする課題】
【０００５】
しかしながら、ネットに紫外線吸収剤を保持させたものは、その染み出し及び変質によって長期的な害虫駆除性能が劣化する可能性がある
本願発明は、上記背景技術に鑑みてなされたものであり、その課題は、ビニルハウス等の開口面に備えられて、長期的に安定して害虫駆除性能及び通風性を発揮することができる虫吸引装置を提供することである。
【課題を解決するための手段】
【０００６】
上記課題を解決するために、請求項１に記載された発明は、外周面に孔部が設けられるＵ字形状である吸虫管と、吸虫管の端部に接続されて内部を減圧することにより孔部を通じて外気を吸引する吸引部と、で構成され、吸虫管は、ビニルハウスに通気を確保するために設けられる開口部の開口面に沿って、複数の吸虫管を格子状に組合せて通風用空隙を設けた虫吸引装置である。
【発明の効果】
【０００８】
請求項１に記載された発明によれば、通風用空隙により通風性を確保することができ、かつ、孔部を通じて外気を吸引しているので、通風用空隙を通過する小さい害虫を吸引することができる。
【発明を実施するための最良の形態】
【００１０】
本願発明の一実施形態として、本願の請求項１〜２に対応した虫吸引装置について図１〜４により説明する。
【００１１】
本実施形態の虫吸引装置は、図１〜４に示す如く、開口面５に備えられて通風用空隙４を形成するとともに、その外周面２１に孔部２２が設けられる吸虫管２と、吸虫管２の端部２３に接続されて内部を減圧することにより孔部２２を通じて外気を吸引する吸引部３と、で構成される虫吸引装置１である。
【００１２】
また吸虫管２が棒状直管であり、複数の吸虫管が開口面５に備えられる。
【００１３】
以下、本実施形態による虫吸引装置を、より具体的詳細に説明する。
【００１４】
最初に、虫吸引装置１であるが、図２に示す如く、吸虫管２と、吸虫管２の開放された端部２３に備えられた吸引チューブ３２と、吸引チューブ３２の他端に備えられて吸引チューブ３２及び吸虫管２の内部を減圧する吸引ポンプ３１とで、構成される。
【００１５】
吸虫管２は、図３に示す如く、棒状直管で内部が中空であるアクリルパイプで、その外周面２１に複数の孔部２２が設けられている。またその端部の一方は開放されており、他方は封止されている。
【００１６】
本実施形態では、図４に示す如く、体長１ｍｍ未満の微小昆虫の侵入を防止することを目的として、内径２ｍｍ、外径３．５ｍｍのアクリルパイプを、中心間隔８．８ｍｍ（通風用空隙４となる間隔が５．３ｍｍ）で略平行に配置し、吸虫管２と略直交する２本の固定用パイプ６１、６２によって吸虫管２の両端近傍が固着され、この状態でビニルハウス等の開口部５に備えられることとなる。
【００１７】
この間隔で設置することにより、吸虫管２が備えられた開口面５の全体において吸虫管２の占める面積の割合が４０％未満となり、十分な通気を確保することができる。ここで、吸虫管２の占める面積の割合と、通気性（風下／風上風速比）を表１に示す。これより、吸虫管２の占める面積が４０％未満であれば、十分な通気性が確保されることが分かる。
【００１８】
【表１】
0004770365.tif 000002
【００１９】
なお、吸虫管２の材質、長さ、外径、内径、孔部の内径、数、間隔は、吸虫管２が備えられる開口部５の大きさ、駆除対象である害虫の種類によって任意に設計することが可能である。吸虫管２の材質としては、アクリルの他、ポリカーボネート、ポリエチレン、塩化ビニル、ＡＢＳ樹脂、ＭＣナイロン、フッ素樹脂、ポリプロピレン等の樹脂材料や、アルミ合金、銅合金、ステンレス鋼、チタン、鉄合金等の金属材料を例示することができる。
【００２０】
吸引チューブ３２は、中空のシリコンチューブであり、上述の通り、各吸虫管２の開放された端部２３と吸引ポンプ３１の図示しない吸い込み部とをつなぐものである。
【００２１】
吸引ポンプは市販のものであり、図示しない吸い込み部と吸引チューブとの間に設けられた図示しないトラップで虫を補足し、トラップに備えられた開閉弁で減圧レベルを調節するものである。減圧レベルは吸虫管２及び吸引チューブ３２の圧力損失、駆除対象である害虫の種類によって任意に設定することができる。
【００２２】
トラップは、例えば空気は通すが、駆除対象の害虫は通さないような、細かな目の網や不織布により構成され、なるべく多くの不要小動物を捕集できるような大きさに形成されたフィルタである。またこのトラップは、吸引チューブ３２の末端に簡単に着脱することができるように構成されており、捕集した害虫をフィルタごと廃棄できるようになっている。
【００２３】
以上に示すごとく、本実施形態によれば、通風用空隙４により通風性を確保することができ、かつ、孔部２２を通じて外気を吸引しているので、通風用空隙４を通過する小さい害虫を吸引することができる。
【００２４】
また本実施形態によれば、吸虫管２が棒状直管であることから圧力損失が少なく、外気の吸引量のばらつきが小さくなる。
【００２５】
なお、本実施形態では、吸虫管２が棒状直管であり、複数の吸虫管２が開口面５に備えられるものとしたが、開口面５に備えられて通風用空隙４を形成するものであれば、これに限られず、例えば、図５に示す如く、吸虫管２を、一本のアクリルパイプをＵ字状に折り曲げ加工したものでもよい。この場合、吸引チューブ３２の本数を減らすことができ、取付作業が容易となる。
【００２６】
また、図６に示す如く、吸虫管２が格子状となるように組合せてもよい。この場合、固定用パイプ６１、６２が不要となるとともに、通風用空隙４の大きさを二次元で制御することができ、より確実に害虫を駆除することができる。
【図面の簡単な説明】
【００２７】
【図１】本願発明の一実施形態における虫吸引装置の取付図
【図２】本願発明の一実施形態における虫吸引装置の斜視図
【図３】本願発明の一実施形態における吸虫管と吸引部の斜視図
【図４】本願発明の一実施形態における通風用空隙の説明図
【図５】本願発明の他の実施形態における虫吸引装置の斜視図
【図６】本願発明の他の実施形態における虫吸引装置の斜視図
【符号の説明】
【００２８】
１      虫吸引装置
２      吸虫管
２１    外周面
２２    孔部
２３    端部
３      吸引部
４      通風用空隙
５      開口面
【図１】
0004770365.tif 000003
【図２】
0004770365.tif 000004
【図３】
0004770365.tif 000005
【図４】
0004770365.tif 000006
【図５】
0004770365.tif 000007
【図６】
0004770365.tif 000008